(57)【要約】      （修正有）【課題】新しい使い捨てマイナスイオン放出カイロの提供と、同時に体温加温式、粒状トルマリン鉱石マイナスイオン放出健康、バンドを提供する。【解決手段】使い捨てカイロ商品包装袋の両面に接着シールテープを付設して、片面接着テープを剥がした接着面に、トルマリンマイナスイオン放出シートを接着して、更に反対面接着テープを剥がした接着面を衣類その他に接着して、更にカイロ本体密封袋の四隅をハサミカットする方法で、カイロ内に空気を流入させて、カイロ発熱開始すると、同時にトルマリン鉱石を長時間加温して、数倍のトルマリンマイナスイオン放出を得る全く新しい手段を考案したものである、又、同じく、トルマリン鉱石を体温で加温して効率よくマイナスイオンを放出させる。【選択図】図４
0003114314.tif 000002
【実用新案登録請求の範囲】
【請求項１】
名刺大にカットした片面接着テープの接着面に、粒状トルマリン鉱石を全面付着させたサンドペーパ状シートを、更に同化粧接着テープで、全体包装加工行った、トルマリンマイナスイオン放出シートを、使い捨てカイロ片面にテープ接着して、カイロ発熱温度、約６０℃でトルマリン鉱石を長時間加温行う方法で、常温使用の数倍、マイナスイオンと遠赤外線を放出させて、主に体内活性酸素を中和無害化すると同時に、血液を弱アルカリ性にして、血行を良くし、新陳代謝を促進させて、疲労回復、健康促進、老化防止等行うことを特徴とした、トルマリンマイナスイオン放出使い捨てカイロ。
【請求項２】
片面接着テープの接着面に、粒状トルマリン鉱石を全面均等に付着させた、サンドペーパ状テープシートを、更に同片面接着テープで、全体包装加工行った、トルマリンマイナスイオン放出シート帯を、手首巻用、頭部巻用、その他患部巻用に、化粧バンド帯に加工行って、トルマリンマイナスイオン放出化粧バンドから、体温で自然放出される、アルカリ性マイナスイオン還元作用によって、血液を弱アルカリ性に保って、血行を良くし、新陳代謝を促進させて、疲労回復、健康促進、その他、老化防止等、行うことを特徴とした、トルマリンマイナスイオン放出化粧バンド。
【考案の詳細な説明】
【技術分野】
【０００１】  使い捨てカイロの分野であるが、新しく使い捨てカイロの熱源を応用して、焦電性、粒状トルマリン鉱石から、常温使用の数倍、マイナスイオンと遠赤外線を放出させる、全く新しい、トルマリンマイナスイオン放出使い捨てカイロ、及びトルマリンマイナスイオン放出化粧バンドを、新たに開発行ったものである。
【背景技術】
【０００２】  従来の使い捨てカイロは、主に身体の加温目的に使用されていたものである、カイロの片面テープを剥がすだけで簡単に身体装着ができ、しかも長時間、安全加温ができる優れた特徴が認められていたものである、しかし従来の使い捨てカイロから、人体に還元する、アルカリ性マイナスイオン放出は全く得られていなかった、発熱原料である木炭、及び活性炭、バーミキュライト等から、微弱なマイナスイオンと遠赤外線等の放出は認められているが、体内活性酸素を中和無害化したり、血液を弱アルカリ性に保つ効果等は全く期待できなかったものである。
【考案の開示】
【考案が解決しようとする課題】
【０００３】  片面シールテープを剥がすだけで、簡単に身体装着ができ、しかも長時間安全加温ができる、使い捨てカイロの技術を応用して、新に焦電性粒状トルマリン鉱石を、使い捨てカイロで加温行い、常温使用の数倍、マイナスイオンと遠赤外線放出が得られる、全く新しい、トルマリンマイナスイオン放出使い捨てカイロ、及びトルマリンマイナスイオン放出バンド等の新たな開発行うことが、本考案が解決しようとする課題である。
【課題を解決するための手段】
【０００４】  焦電性、粒状トルマリン鉱石、別名（電気石）は各々粒子両端にプラスとマイナスの極性を持ち、常時０，０６ミリアンペアーの微弱電流が、永久に放電されているものである、この焦電性、トルマリン鉱石から放出されるマイナスイオン還元作用を応用する場合、各電極が重なり合って、放電効率が低下しないよう考慮する必要があった、新に片面接着テープの接着面に、粒状トルマリン鉱石を、平面均等に付着させ、サンドペーパ状にした、トルマリンシートを、更に同片面接着テープで全体包装加工行った、トルマリンマイナスイオン放出シートを、使い捨てカイロの発熱、及び人体の体温等で加温使用行う方法で、常温使用の数倍、マイナスイオンと遠赤外線放出が得られる、全く新しい手段を考案したものである。【０００５】  焦電性トルマリン鉱石は、温度が１０度高まるとマイナスイオン放出量が倍に増量することが、すでに研究者の実験で確認されている、その為、使い捨てカイロの発熱温度（約６０℃）で長時間、トルマリン鉱石を加温することによって、常温使用の約２，５倍増、マイナスイオンと遠赤外線の放出が得られる訳である。【０００６】  焦電性トルマリン鉱石から、常温で、ｃｍ立方当り、約４００個から６００個の、マイナスイオンが放出さている、新に使い捨てカイロで、トルマリン鉱石を６０℃に加温すると、ｃｍ立方当り１０００から１４００個、のマイナスイオンが増量放出されることが、イオン測定器によって確認されたものである、通常室内のマイナスイオン量が、約５０個で、屋外では、約２００から３００個であるのに対して、使い捨てカイロの、トルマリンマイナスイオン放出量が、１０００個以上であれば、これは森林、滝付近の自然マイナスイオン発生量と、ほぼ同等であることが判明したものである。
【考案の効果】
【０００７】  身体を蝕む活性酸素は全てプラスイオンである、体内のイオンバランスが崩れると様々な症状が現れる、肩こり、腰痛、いらいら、糖尿病、高脂血症など、生活習慣病までもが、イオンバランスの崩れが原因であると言われている、体内に大量のマイナスイオンが入ると、活性酸素プラスイオンは、瞬時中和されて、無害化されると同時に、血液が弱アルカリ性、（ＰＨ７，５）に保持されるため、血行は良くなり、新陳代謝が促進されることから、疲労回復、免疫性も高まって、人体は常に健康体となり、老化防止等にも効果が発揮されるものである。
【考案を実施するための最良の形態】
【０００８】  トルマリンマイナスイオン放出シートを、使い捨てカイロに付着して、カイロ全体を加温使用する場合、先ず使い捨てカイロ包装袋の両面に付設されている、接着シールテープの片面を剥した接着面に、トルマリンマイナスイオン放出シートを付着させ、更に反対面接着シールテープを剥した接着面を、衣類その他に接着させて、カイロ、固定使用行うものであるが、使用する前に必ずカイロ本体密封袋の四隅先端を、ハサミで切り捨て、開封することが重要である、カイロ密封袋の開封によって空気がカイロ内に流入し、カイロの酸化発熱が開始される訳である。【０００９】  トルマリンマイナスイオン放出バンドを使用する場合、手首、頭部、その他用途に応じたバンドを選んで使用するものであるが、本トルマリンマイナスイオン放出バンドから放出されるマイナスイオンは、全て体温加温放出されるもので天然永久放出である
【実施例】
【００１０】  試作使い捨て、トルマリンマイナスイオン放出カイロを使用した結果、従来の市販使い捨てカイロ商品に表示されている、注意事項通りに使用すれば、全く問題の無いことが確認できたものである、特にカイロ密封袋の開封使用と低温やけどに注意することが大変重要なことであった、又、トルマリンマイナスイオン放出バンドの長時間使用に対しても、全く人体に問題のないことが確認できたものである、但しトルマリンマイナスイオン放出カイロについても、バンドについても、トルマリンマイナスイオン放出が、人体に及ぼした正確な効果については、実施期間が短い為か、効果を確認したり、証明したりすることは、現実できなかったものである。
【産業上の利用可能性】
【００１１】  本考案、トルマリンマイナスイオン放出使い捨てカイロの場合、焦電性トルマリン鉱石加温使用効果で、１ｃｍ立方当り約１０００個から１３００個の増量マイナスイオンと遠赤外線が長時間放出される訳である、又、トルマリンマイナスイオン放出バンドにしても１ｃｍ立方当り、約５００個から６００個のマイナスイオンが、常時放出されるものである、近代電化製品からプラスイオンが発生する量は年々増加している、人体にプラスイオンが悪い影響を及ぼしていることは、今大きな社会問題となっている、特にプラスイオンは体内活性酸素を生成することが知られている、この体内活性酸素を瞬時中和して無害化できるのが、アルカリ性マイナスイオン放出使い捨てカイロであり、又、マイナスイオン放出バンドである、アルカリ性マイナスイオンの還元作用で血液が弱アルカリ性になることから、血がサラサラになって血行が良くなり、新陳代謝が促進される為、下記の健康効果が認められているものである、
（１）疲労回復
（２）胃腸の活性化
（３）痛み  凝りの緩和
（４）冷え症の緩和
（５）肌の美容
（６）脳の活性化
（７）新陳代謝の促進
（８）老化防止
【図面の簡単な説明】
【００１２】
【図１】粒状トルマリン鉱石面付着シート、斜視図
【図２】トルマリンマイナスイオン放出袋シート本体、斜視図
【図３】接着シールテープ付使い捨てカイロ本体、斜視図
【図４】隅切りマイナスイオン放出カイロ本体、斜視図
【図５】粒状トルマリン面付着バンドテープ、斜視図
【図６】トルマリンマイナスイオン放出バンド本体、斜視図
【符号の説明】
【００１３】１    片面接着テープカットシート
２    のりしろ接着部
３    面付着粒状トルマリン鉱石
４    トルマリン鉱石袋シール部
５    トルマリン鉱石内臓部
６    使い捨てカイロ袋本体
７    カイロ付設接着シールテープ
８    カイロ密封袋開封切り口
９    マイナスイオン放出シート
１０  テープ付着粒状トルマリン鉱石
１１  テープ接着面残り部
１２  マイナスイオン放出バンド本体
１３  雄マジックテープ
１４  雌マジックテープ
【図１】
0003114314.tif 000003
【図２】
0003114314.tif 000004
【図３】
0003114314.tif 000005
【図４】
0003114314.tif 000006
【図５】
0003114314.tif 000007
【図６】
0003114314.tif 000008